(57)【要約】【課題】  リフォームの現場で大きさを調節できるようにして、浴室の設置スペースの状態に影響を受けることなく、柔軟に対応できる浴室を提供する。【解決手段】  洗い場形成用の床パン１に、この床パン１の洗い場面１ａより浴室面積を大きくする拡張パネル２を取り付ける。上記の床パン１と拡張パネル２の少なくとも一方側の接続部１ｂ、２ａに、互いの連結位置を変更して浴室面積を調節するための連結手段３を設ける。この連結手段３は、浴室の内外方向に沿って複数列形成されているネジ止め孔であるのが好ましい。【選択図】      図１
2010001660.tif 000002
【特許請求の範囲】
【請求項１】
洗い場形成用の床パンに、この床パンの洗い場面より浴室面積を大きくする拡張パネルが取り付けられている拡張機能付き浴室であって、上記の床パンと拡張パネルの少なくとも一方側の接続部に、互いの連結位置を変更して浴室面積を調節するための連結手段が設けられていることを特徴とする拡張機能付き浴室。
【請求項２】
請求項１記載の浴室であって、連結手段が、浴室の内外方向に沿って複数列形成されているネジ止め孔であることを特徴とする拡張機能付き浴室。
【請求項３】
請求項２記載の浴室であって、天井パネルを備え、天井パネルの周辺のフランジ状の下端部に、天井パネルを壁パネルの上端部に接続するための孔が、ネジ止め孔の形成間隔に対応して浴室の内外方向に沿って複数列形成されていることを特徴とする拡張機能付き浴室。
【請求項４】
請求項３記載の浴室であって、壁パネルの裏側の側部に、壁パネル同士を接続するためのダルマ孔が、ネジ止め孔の形成間隔に対応して壁パネルの横幅方向に沿って複数列形成されていることを特徴とする拡張機能付き浴室。
【請求項５】
請求項４記載の浴室であって、壁パネルのダルマ孔に内側のボルト状部材を嵌合させて引き降ろし壁パネル同士を鉤形に連結する横断面鉤形の連結用具と、この連結用具の内側の角部と壁パネルの端面との間に生じる隙間に浴室内から嵌め込まれるシーリング材とを備え、上記の連結用具の少なくとも一方側の側片のボルト状部材が、壁パネルの端面から最も離された内側位置のダルマ孔に対応して設けられていることを特徴とする拡張機能付き浴室。
【請求項６】
請求項１乃至５の何れかに記載の浴室であって、床パンの洗い場面から立ち上げられて側方に屈曲されている接続部が、側縁まで水平に延ばされて平板状に形成されていることを特徴とする拡張機能付き浴室。
【発明の詳細な説明】
【技術分野】
【０００１】
本発明は浴室に関し、更に詳しくは洗い場形成用の床パンに、この床パンの洗い場面より浴室面積を大きくする拡張パネルが取り付けられている拡張機能付き浴室に関するものである。
【背景技術】
【０００２】
従来、床面を拡張するための浴室用ユニットとしては、例えば特許文献１に記載されているものがある。
この従来品は、壁載置面が外側に張り出され、その外側に水返し片が立設され、防水パンの外周の垂下状の受け部に載せられて使用されるものである。
【０００３】
従来の浴室（ユニットバス）は、このように室内が少しでも広がるよう、張出し部材を用いたり、また床パンの洗い場面を越えて浴室面積を大きくする拡張パネルを用いたり、或いは床パン自体の寸法を大きくすることが行なわれている。
而して、浴室をリフォームする場合は、躯体の柱や土台の位置及び高さ等が現場によって種々多様である。従って従来、既存の浴室スペースに、ユニットバスを設置する場合は、床パン等の浴室構成部材のサイズを単に大きくしたり、或いは拡張パネルを使用するだけでは対応できないことが多かった。
【特許文献１】特開２００７−３１５０９４号公報
【発明の開示】
【発明が解決しようとする課題】
【０００４】
本発明は、このような従来の実情に鑑み、提案されたものである。
従って本発明の解決しようとする技術的課題は、リフォームの現場で大きさを調節できるようにして、浴室の設置スペースの状態に影響を受けることなく、柔軟に対応できるよう形成した拡張機能付き浴室を提供することにある。
【課題を解決するための手段】
【０００５】
本発明は、上記の課題を解決するため、次のような技術的手段を採る。
即ち本発明は、図１等に示されるように、洗い場形成用の床パン１に、この床パン１の洗い場面１ａより浴室面積を大きくする拡張パネル２が取り付けられている拡張機能付き浴室であって、上記の床パン１と拡張パネル２の少なくとも一方側の接続部１ｂ、２ａに、互いの連結位置を変更して浴室面積を調節するための連結手段３が設けられていることを特徴とする（請求項１）。
【０００６】
本発明の場合、上記の連結手段３は、図１等に示されるように、浴室の内外方向に沿って複数列形成されているネジ止め孔であるのが好ましい（請求項２）。
なぜならこれによると、床パン１と拡張パネル２の取り付け位置の調節を簡単、迅速にできるからである。またこれによると、天井パネル７や壁パネル８等の他の浴室構成部材とのサイズ調節や位置調節を容易化でき、連結作業を簡単、楽にできるからである。
【０００７】
また本発明は、図２、図６等に示されるように、天井パネル７を備え、天井パネル７の周辺のフランジ状の下端部７ａに、天井パネル７を壁パネル８の上端部に接続するための孔７ｂが、ネジ止め孔の形成間隔に対応して浴室の内外方向に沿って複数列形成されているのが好ましい（請求項３）。
なぜならこれによると、天井パネル７を、孔７ｂを利用して簡単、迅速にネジ４等の止め具で固定でき、また拡張パネル２の取り付け位置に合わせて天井パネル７を容易に設置できるからである。
【０００８】
またこの場合、本発明は、図７に示されるように、壁パネル８の裏側の側部に、壁パネル８同士を接続するためのダルマ孔８ａが、ネジ止め孔の形成間隔に対応して壁パネル８の横幅方向に沿って複数列形成されているのが好ましい（請求項４）。
なぜならこれによると、壁パネル８を、ダルマ孔８ａを利用して簡単、迅速に連結でき、拡張パネル２の取り付け位置に合わせて壁パネル８の設置を楽にできるからである。
【０００９】
また本発明は、図９等に示されるように、壁パネル８のダルマ孔８ａに内側のボルト状部材９ａを嵌合させて引き降ろし壁パネル８同士を鉤形に連結する横断面鉤形の連結用具９と、この連結用具９の内側の角部９ｂと壁パネル８の端面８ｂとの間に生じる隙間に浴室内から嵌め込まれるシーリング材１０ａ、１０ｂとを備え、上記の連結用具９の少なくとも一方側の側片９ｃ、９ｄのボルト状部材９ａが、壁パネル８の端面８ｂから最も離された内側位置のダルマ孔８ａに対応して設けられているのが好ましい（請求項５）。
なぜならこれによると、壁パネル８を、拡張パネル２等の設置位置に合わせて簡単、迅速に、また水漏れすることなく連結できるからである。
【００１０】
また本発明は、図３に示されるように、床パン１の洗い場面１ａから立ち上げられて側方に屈曲されている接続部１ｂが、側縁まで水平に延ばされて平板状に形成されているのが好ましい（請求項６）。
なぜならこれによると、床パン１の接続部１ｂに、拡張パネル２の下端の接続部２ａを重ね合わせ易くなり、ネジ止め等の連結作業を容易化できるからである。
【発明の効果】
【００１１】
本発明は、このように洗い場形成用の床パンに、この床パンの洗い場面より浴室面積を大きくする拡張パネルが取り付けられている拡張機能付き浴室であって、上記の床パンと拡張パネルの少なくとも一方側の接続部に、互いの連結位置を変更して浴室面積を調節するための連結手段が設けられているものである。
従って本発明によれば、リフォームの現場に応じて、浴室の大きさを、簡単、且つ柔軟に調節して設置できる。
【発明を実施するための最良の形態】
【００１２】
以下、本発明を実施するための最良の形態を説明する。
本発明の浴室は、図１等に示されるように、洗い場形成用の床パン１に、この床パン１の洗い場面１ａより浴室面積を大きくする拡張パネル２が取り付けられている。床パン１は、洗い場面１ａから立ち上げられて側方に屈曲されている接続部１ｂが、側縁まで水平に延ばされて平板状に形成されている。
【００１３】
この場合、この実施形態の本発明は、上記の拡張パネル２の接続部２ａに床パン１との連結位置を変更して浴室面積を調節するための連結手段３としてのネジ止め孔が設けられている。この連結手段３としてのネジ止め孔は、浴室の内外方向に沿ってこの実施形態では３０（ｍｍ）あけて２列、形成されている。
【００１４】
４は、取付用のネジである。また、５は拡張パネル２と協働して浴室内にカウンターを形成するためのカウンターパネルであり、６はカウンターエプロンである。
【００１５】
また、図２等において、７は天井パネルであり、８は壁パネルである。天井パネル７は、図６等に示されるように、その周辺のフランジ状の下端部７ａに、天井パネル７を壁パネル８の上端部に接続するための孔７ｂが、上記の連結手段３としてのネジ止め孔の形成間隔に対応して浴室の内外方向に沿ってこの実施形態では２列、形成されている。
【００１６】
また壁パネル８は、図７に示されるように、その裏側の側部に、壁パネル８同士を接続するためのダルマ孔８ａが、上記のネジ止め孔の形成間隔に対応して壁パネル８の横幅方向に沿ってこの実施形態では２列、形成されている。
【００１７】
また９（図８参照）は、壁パネル８のダルマ孔８ａに内側のボルト状部材９ａを嵌合させて引き降ろし壁パネル８同士を鉤形に連結する横断面鉤形の連結用具である。また１０ａ、１０ｂ（図９参照）は、この連結用具９の内側の角部９ｂと壁パネル８の端面８ｂとの間に生じる隙間に浴室内から嵌め込まれるシーリング材である。
【００１８】
連結用具９は、この実施形態では、一方の側片９ｃが他方の側片９ｄより幅広に形成されている。側片９ｃ、９ｄに設けられているボルト状部材９ａは、壁パネル８の最も内側である２列目のダルマ孔８ａに対応して位置決めされている。またシーリング材１０ａは、浴室の拡張時に大きく広がる隙間を閉塞できるよう幅広状に形成され、通常の設置時は縦にカットし、図９Ａに示されるように、シーリング材１０ｂと同形状（同サイズ）にして使用される。なお、１１は、連結用具９の凹溝９ｅに浴室内から嵌め込まれる水密部材である。
【００１９】
次に本発明の施工例を説明する。
本発明は、床パン１の接続部１ｂに拡張パネル２の下端の接続部２ａを合わせ、ネジ４でネジ止め孔を利用して固定する。この場合、躯体の大きさに合わせ、図１Ａの拡張幅小の取り付け状態から同図Ｂの拡張幅大の状態へ浴室を拡張する場合は、同図Ｂに示されるように、作業者は拡張パネル２の前端寄りの浴室の内側に当たる位置のネジ止め孔を利用して床パン１の接続部１ｂにネジ４で固定する。これにより、この実施形態ではネジ止め孔の形成間隔である３０（ｍｍ）だけ、拡張パネル２が浴室の外側に配置され、浴室面積が間隔Ｄだけ広がるものである。
【００２０】
また作業者は、浴室の広がりに合わせて天井パネル７と壁パネル８を設置する。具体的には、図６Ｂに示されるように、天井パネル７は、外側の孔７ｂを利用して壁パネル８の上端部にネジ４で固定する。これにより、同図Ａに示される拡張幅小の接続状態から、孔７ｂの形成間隔である３０（ｍｍ）だけ、壁パネル８が外側に配置され、浴室の間隔Ｄが拡張される。なお、図６Ｂで孔７ｂは、通常、適当な部材で塞いでおく。
【００２１】
また壁パネル８は、図９に示されるように、浴室の角において鉤形に突き合わされて連結用具９で接続される。即ち、この実施形態は、ダルマ孔８ａが２列に形成された壁パネル８と、１列の壁パネル８を鉤形に連結する事例のため、作業者は、浴室の拡張時は、同図Ｂに示されるように、一方の側片９ｃのボルト状部材９ａを一方の壁パネル８の外側のダルマ孔８ａ（図７参照）に、他方のボルト状部材９ａを他方の壁パネル８の１列目のダルマ孔８ａに嵌め入れて引き降ろし、ダルマ孔８ａのスリット状の細幅部にボルト状部材９ａの首部を係合させることにより連結する。
【００２２】
この場合、浴室が拡張されると、壁パネル８の端面８ｂと、連結用具９の角部９ｂとの間に隙間が大きくできるため、作業者はこの隙間に幅広状のシーリング材１０ａを、他方側の小さな隙間には幅狭状のシーリング材１０ｂを嵌め込み、これらの箇所から水漏れが生じないよう水密状に形成する。また左右にひれ状の柔軟質片を有する水密部材１１を、浴室の内側から連結用具９の角の凹溝９ｅに嵌め込み装着する。これにより、ダルマ孔８ａの形成間隔である３０（ｍｍ）だけ、浴室の間隔Ｄが広がるものである。
【００２３】
以上の処において、上例では連結手段３としてのネジ止め孔が、拡張パネル２の接続部２ａに形成されているが、本発明はこれに限定されるものではなく、床パン１の接続部１ｂに形成されているのでも良い。
【００２４】
また連結手段３は、無段階状に連結が可能になるよう形成されているのでも良く、更には、例えば嵌め付けて固定することができるよう、嵌合構造に形成されているのでも良い。
【００２５】
また上例の連結用具９は、一方の側片９ｃが他方の側片９ｄより幅広に形成されているが、本発明は、浴室を前後左右に拡張する場合にも対応できるよう、両方とも幅広に形成されているのでも良い。なお、この場合は、天井パネル７等も、対応位置が拡張可能になるよう形成されることは勿論のことである。
【図面の簡単な説明】
【００２６】
【図１】本発明の浴室の好適な一実施形態を示し、Ａは拡張幅小、Ｂは拡張幅大の要部縦断面図である。
【図２】同上浴室の要部斜視図である。
【図３】床パンの設置時の縦断面図である。
【図４】拡張パネルの縦断面図である。
【図５】天井パネルの要部縦断面図である。
【図６】Ａ、Ｂとも、天井パネルと壁パネルの連結状態を示す要部縦断面図である。
【図７】壁パネルを示す要部背面図である。
【図８】連結用具を示す横断面図である。
【図９】Ａ、Ｂとも、壁パネルの連結状態を示す要部横断面図である。
【符号の説明】
【００２７】
１      床パン
１ａ    洗い場面
１ｂ    接続部
２      拡張パネル
２ａ    接続部
３      連結手段
【図１】
2010001660.tif 000003
【図２】
2010001660.tif 000004
【図３】
2010001660.tif 000005
【図４】
2010001660.tif 000006
【図５】
2010001660.tif 000007
【図６】
2010001660.tif 000008
【図７】
2010001660.tif 000009
【図８】
2010001660.tif 000010
【図９】
2010001660.tif 000011